(57)【要約】【課題】  比較的狭い場所であっても容易に設置できると共に、視認性が高く、火災現場などにおいても使用できる緊急連絡シートを提供することを目的とする。【解決手段】  本考案の緊急連絡シート１０は、少なくとも一のシート基材１３の表面に連絡文字情報１４が表示された文字情報表示シート１１と、他のシート基材１５の表面にセグメントデジタル数字表示部１６が形成された数情報表示シート１２とを含んで構成され、シート基材１３、１５が難燃性の不織布から成ることを特徴とする。【選択図】  図１
0003233373.tif 000002
【実用新案登録請求の範囲】
【請求項１】
少なくとも一のシート基材の表面に連絡文字情報が表示された文字情報表示シートと、
他のシート基材の表面にセグメントデジタル数字表示部が形成された数情報表示シートと
を含んで構成され、
前記シート基材が難燃性の不織布から成ることを特徴とする緊急連絡シート。
【請求項２】
前記セグメントデジタル数字表示部の各セグメントを塗りつぶすためのウエットマーカーを備えることを特徴とする請求項１に記載の緊急連絡シート。
【請求項３】
前記セグメントデジタル数字表示部の各セグメントに着脱可能なセグメント部材を含んで成ることを特徴とする請求項１又は請求項２に記載の緊急連絡シート。
【請求項４】
前記数情報表示シートに形成された前記セグメントデジタル数字表示部の各セグメントが着脱可能に形成されていることを特徴とする請求項１又は請求項２に記載の緊急連絡シート。
【請求項５】
前記数情報表示シートに形成された前記セグメントデジタル数字表示部の各セグメントが、何れかの長辺を残した状態で前記各セグメントの外周に沿って切断されていることを特徴とする請求項１又は請求項２に記載の緊急連絡シート。
【請求項６】
前記数情報表示シートに係るシート基材の下方に、該シート基材表面の色と異なる色のシート裏地を備え、
前記シート裏地が難燃性の不織布から成ることを特徴とする請求項４又は請求項５に記載の緊急連絡シート。
【考案の詳細な説明】
【技術分野】
【０００１】
本考案は、地震や火災といった災害発生時において、避難者や要救助者の人数を上空から把握することが可能な緊急連絡シートに関する。
【背景技術】
【０００２】
地震や水害、火災といった災害が発生した場合、携帯電話等の通信手段が使用できなくなると、災害現場や避難場所における避難者や要救助者等の人数を把握することは非常に困難となる。特に大規模災害の発生時において、避難場所が複数箇所に点在したり、交通手段が寸断されて容易に避難場所へ近付けなくなったりすると、ヘリコプターや航空機による上空からの情報収集に頼らざるを得ない。
【０００３】
災害現場や避難場所における要救助者や避難者などの人数が正確に把握できれば、救助活動の優先順位や支援物資の供給など、より効率的な救助・支援活動計画を策定することが可能となる。しかし、従来は避難場所となる学校のグラウンドや屋上などに直接、ペンキやラインパウダーなどで大きく表示するしか方法がなく、上空から認識し易いように大きく綺麗に表示することは、経験のない一般の被災者にとって容易なことではない。また、一旦表示すると書き直すことも困難で、屋上などのコンクリート面や道路にペンキで書いた場合、書き直しは略不可能となる。
【０００４】
そこで、災害時に簡単に設置が可能で、しかも上空から認識し易い緊急連絡表示部材が開示されている（例えば、特許文献１参照）。特許文献１に開示された緊急連絡表示部材は、縦が３ｍ以上５ｍ以下で横が６ｍ以上１０ｍ以下の略長方形状のシートと、シート上に設けられた数字表示部と、固定物へ取り付けるための取付部材を有し、数字表示部には３桁の７セグメントデジタル数字表示部が形成されており、７セグメントデジタル数字表示部にはセグメント部材がシートに対して着脱可能に設けられていることを特徴とする。
【０００５】
この特許文献１に開示された緊急連絡表示部材は、シート上の部材からなるので軽く、簡単に設置することができる。また、上空から視認するのに十分な広さを有し、しかも明瞭な表示が可能である旨、記載されている。
【先行技術文献】
【特許文献】
【０００６】
【特許文献１】実用新案登録第３１７０６３８号公報
【考案の概要】
【考案が解決しようとする課題】
【０００７】
特許文献１に開示された緊急連絡表示部材によると、簡単に設置ができると共に、シートも非常に大きいため、上空からの視認性も確保できるものと思料する。しかしながら、シートのサイズが少なくとも３ｍ×６ｍあるため、設置場所の確保が困難になると共に、シートの素材によっては運搬や設置作業に労力を要する。
【０００８】
また、地震時や水害時であれば問題ないが、火災時においてビルの屋上などで救助要請を行う場合、シートの素材によっては火災による火が引火し、却って危険となるおそれがある。
【０００９】
そこで本願考案者らは、上記の問題点に鑑み、比較的狭い場所であっても容易に設置できると共に、視認性が高く、火災現場などにおいても使用できる緊急連絡シートを提供するべく鋭意検討を重ねた結果、本考案に至ったのである。
【課題を解決するための手段】
【００１０】
即ち、本考案の緊急連絡シートは、少なくとも一のシート基材の表面に連絡文字情報が表示された文字情報表示シートと、他のシート基材の表面にセグメントデジタル数字表示部が形成された数情報表示シートとを含んで構成され、前記シート基材が難燃性の不織布から成ることを特徴とする。
【００１１】
また、本考案の緊急連絡シートにおいて、前記セグメントデジタル数字表示部の各セグメントを塗りつぶすためのウエットマーカーを備えることを特徴とする。
【００１２】
また、本考案の緊急連絡シートにおいて、前記セグメントデジタル数字表示部の各セグメントに着脱可能なセグメント部材を含んで成ることを特徴とする。
【００１３】
更に、本考案の緊急連絡シートにおいて、前記数情報表示シートに形成された前記セグメントデジタル数字表示部の各セグメントが着脱可能に形成されていることを特徴とする。
【００１４】
また、本考案の緊急連絡シートにおいて、前記数情報表示シートに形成された前記セグメントデジタル数字表示部の各セグメントが、何れかの長辺を残した状態で前記各セグメントの外周に沿って切断されていることを特徴とする。
【００１５】
更にまた、本考案の緊急連絡シートにおいて、前記数情報表示シートに係るシート基材の下方に、該シート基材表面の色と異なる色のシート裏地を備え、前記シート裏地が難燃性の不織布から成ることを特徴とする。
【考案の効果】
【００１６】
本考案の緊急連絡シートによると、シート基材に難燃性の不織布を適用することによって、火災現場等においても使用できると共に、耐久性があり水濡れにも強い。また、シート基材が軽量であるため運搬や設置作業に労力を要さず、高齢者等であっても容易に運搬、設置作業を行うことができる。
【００１７】
更に、視認性を確保しつつシート基材のサイズを小さくすることができ、比較的狭い場所であっても、容易に設置することができる。
【００１８】
また、本考案の緊急連絡シートにおいて、セグメントデジタル数字表示部の各セグメントを塗りつぶすためのウエットマーカーを備えることによって、数情報表示シートが雨などで濡れた場合であっても任意のセグメントを塗りつぶすことができ、連絡したい数情報を表示することができる。
【００１９】
また、本考案の緊急連絡シートにおいて、セグメントデジタル数字表示部の各セグメントに着脱可能なセグメント部材を含んで構成することによって、セグメント部材を任意のセグメントに着脱するのみで容易に連絡したい数情報を表示することができる。
【００２０】
また、本考案の緊急連絡シートにおいて、数情報表示シートに形成されたセグメントデジタル数字表示部の各セグメントを着脱可能に形成することによって、表示したい数字に合わせて任意のセグメントを着脱するのみで、容易に連絡したい数情報を表示することができる。
【００２１】
更に、本考案の緊急連絡シートにおいて、数情報表示シートに形成されたセグメントデジタル数字表示部の各セグメントが、何れかの長辺を残した状態で各セグメントの外周に沿って切断されていることによって、任意のセグメントを切断されていない長辺で折り返すのみで容易に連絡したい数情報を表示することができる。
【００２２】
また更に、数情報表示シートに係るシート基材の下方に、シート基材表面の色と異なる色のシート裏地を備え、このシート裏地が難燃性の不織布から成ることによって、火災現場等において使用できることはもちろん、任意のセグメントを着脱する、或いは任意のセグメントを切断されていない長辺で折り返すのみで、シート基材表面の色とシート裏地の色との違いによって連絡したい数情報を表示することができる。
【図面の簡単な説明】
【００２３】
【図１】（ａ）は本考案の緊急連絡シートに係る文字情報表示シート及び数情報表示シートの実施形態を示す平面図、（ｂ）は本考案の実施形態に係る緊急連絡シートの使用状態を示す平面図である。
【図２】本考案の他の実施形態に係る緊急連絡シートの使用状態を示す平面図である。
【図３】本考案の緊急連絡シートに係る数情報表示シートの一実施形態を示す説明図である。
【図４】本考案の緊急連絡シートに係る数情報表示シートの他の実施形態を示す説明図である。
【図５】本考案の緊急連絡シートに係る数情報表示シートの他の実施形態を示す説明図である。
【考案を実施するための形態】
【００２４】
以下、本考案の緊急連絡シートの実施形態について、図面に基づいて説明する。図１（ａ）は、本考案の一実施形態に係る緊急連絡シート１０を構成する文字情報表示シート１１及び数情報表示シート１２の実施形態を示す平面図、（ｂ）は本考案の一実施形態に係る緊急連絡シート１０の使用状態を示す平面図である。図１に示すように、本実施形態の緊急連絡シート１０は、少なくとも一のシート基材１３の表面に連絡文字情報１４が表示された文字情報表示シート１１と、他のシート基材１５の表面にセグメントデジタル数字表示部１６が形成された数情報表示シート１２とを含んで構成されている。
【００２５】
一のシート基材１３及び他のシート基材１５は基本的には同じ素材であって、本実施形態に係るシート基材１３、１５は難燃性の不織布から成ることを特徴としている。不織布は軽量で取り扱いが容易であるが比較的燃えやすい。従って、火災現場などでの使用には適さない。そこで、本実施形態に係るシート基材１３、１５を難燃性の不織布とすることによって、不織布の利点はそのままで災害現場を選ばずに使用することが可能となる。
【００２６】
シート基材１３、１５の素材である不織布に難燃性を付与する方法は特に限定されないが、例えば、不織布を「ノンネン９８４」（丸菱油化工業株式会社）６０％溶液（残部は水４０％、「バルー５０２（浸透剤）」（丸菱油化工業株式会社）０．５％）に浸漬して乾燥させることによって、難燃性の不織布を得ることができた。なお、「ノンネン９８４」２０％溶液では難燃性を付与することができなかった。
【００２７】
また、シート基材１３、１５のサイズは特に限定されるものではないが、通常、上空のヘリコプターなどから地上の様子を確認する際、何らかの目印となるものがあれば、双眼鏡やカメラを使用してより詳細な確認作業が行われる。従って、本実施形態に係るシート基材１３、１５は、縦が８００ｍｍ〜１２００ｍｍ、横が１０００ｍｍ〜１５００ｍｍあれば、上空から認識することが十分に可能であり、視認性を確保しつつシート基材のサイズを可能な限り小さくすることができる。
【００２８】
更に、シート基材１３、１５の色も特に限定されないが、上空からの視認性を考慮して、黄色や山吹色、橙色などが好ましい。
【００２９】
文字情報表示シート１１は、難燃性の不織布から成るシート基材１３の表面に連絡文字情報１４が表示されている。連絡文字情報１４の内容は特に限定されず、例えば、図１に示すように「避難者」や「緊急」であってもよく、その他の連絡文字情報１４として、図２に示す緊急連絡シート１０ａ〜１０ｄのように、「人数」「合計」「総数」「要救助」などであってもよい。これらの連絡文字情報１４を適宜、組み合わせることによって、最低限の情報を連絡することが可能となる。なお、図１及び図２に示した緊急連絡シート１０、１０ａ〜１０ｄの実施形態では、何れも２種類の文字情報表示シート１１の組み合わせ例を示しているが、本考案の緊急連絡シートは２種類の文字情報表示シート１１の組み合わせに限定されるものではない。何れか１種類のみの文字情報表示シート１１が使用されてもよく、３種類以上の文字情報表示シート１１を組み合わせて使用してもよい。
【００３０】
また、文字情報表示シート１１に表示される連絡文字情報１４の文字色も特に限定されない。シート基材１３の色に応じて視認性の高い文字色を適宜、選択すればよいが、例えば、シート基材１３の色を黄色や山吹色、橙色にした場合は、連絡文字情報１４の文字色を黒色にすることが視認性の観点で特に好ましい。
【００３１】
数情報表示シート１２は、難燃性の不織布から成るシート基材１５の表面にセグメントデジタル数字表示部１６が形成されている。本実施形態に係るセグメントデジタル数字表示部１６は、３桁の数字をそれぞれ７つのセグメント１７で表示できるように構成されている。なお、１桁あたりのセグメント数は特に限定されないが、セグメントデジタル数字表示部１６において表示する数字の視認性及び変更作業の手間等を考慮して、７セグメントとすることが好ましい。
【００３２】
図１（ｂ）に示すように、本実施形態の緊急連絡シート１０を実際に使用する際には、文字情報表示シート１１及び数情報表示シート１２を組み合わせて使用する。各シート１１、１２は必ずしも連結する必要はないが、例えば各シート１１、１２の辺部に沿って穴を複数箇所設けておき、隣接するシートの穴同士を紐で連結してもよい。或いは、各シート１１、１２の辺部に沿って配設したスナップボタンやホック、ファスナー、面ファスナー等によって連結してもよい。
【００３３】
一の文字情報表示シート１１の横に数情報表示シート１２が隣接配置することによって一の緊急連絡シートが構成され、２種類以上の文字情報表示シート１１を並べる場合には、一の文字情報表示シート１１の上下何れかに隣接配置される。本実施形態の緊急連絡シート１０では、「避難者」と表示された文字情報表示シート１１及び「緊急」と表示された文字情報表示シート１１が上下に隣接配置され、各文字情報表示シート１１の横に数情報表示シート１２が隣接配置されている。従って、この緊急連絡シート１０によって、ある避難場所における避難者の人数（図１（ｂ）では１２３人）及び緊急を要する救助者の人数（同図では２８人）ということを容易に把握することができる。
【００３４】
ここで、数情報表示シート１２に係るセグメントデジタル数字表示部１６に数情報を表示する方法であるが、最も容易な方法としては、予め数情報表示シート１２に係るシート基材１５に各セグメント１７の外形線のみを印刷しておき、表示したい数字に応じて任意のセグメント１７をマーカーなどの筆記具で塗りつぶす方法である。セグメント１７を塗りつぶす筆記具は特に限定されないが、数情報表示シート１２は基本的に屋外で使用されるものであるため、数情報表示シート１２が雨などで濡れた場合であっても任意のセグメント１７を塗りつぶすことができるように、本実施形態の緊急連絡シート１０ではウエットマーカー（例えば「スーパーウエットマーカー」（株式会社  祥碩堂））を備えておくことがより好ましい。
【００３５】
なお、避難者数や救助者数といった数情報は救助作業などが進むにつれて変化するため、本実施形態の緊急連絡シート１０では、予め複数の数情報表示シート１２を準備しておき、数情報が変更される度に新たな数情報表示シート１２に差し替えられることとなる。
【００３６】
以上、本考案の実施形態に係る緊急連絡シート１０について詳述したが、数情報表示シート１２に係るセグメントデジタル数字表示部１６に数情報を表示する態様は、上記の実施形態に限定されるものではない。例えば、図３に示す数情報表示シート１２ａのように、セグメントデジタル数字表示部１６の各セグメント１７に着脱可能なセグメント部材２０を含んで成る構成であってもよい。表示したい数字に応じて任意のセグメント１７にセグメント部材２０を貼着することによって、容易に連絡したい数情報を表示することができる。
【００３７】
なお、貼着方法は特に限定されず、例えば面ファスナーやスナップボタンなどが、数情報の変更に伴うセグメント部材２０の着脱作業が容易であるため好ましい。
【００３８】
また別の実施形態として、図４に示す数情報表示シート１２ｂのように、シート基材１５の下方（裏側）に、シート基材１５表面の色と異なる色のシート裏地２２を配設する。例えば、シート基材１５表面の色を黄色とした場合、シート裏地２２の色を黒色とする。このシート裏地２２もシート基材１５と同様に難燃性の不織布から成ることによって、火災現場などにおいても使用することが可能である。
【００３９】
そして、数情報表示シート１２ｂに形成されたセグメントデジタル数字表示部１６の各セグメント１７自体が着脱可能に形成されている。従って、表示したい数字に応じて任意のセグメント１７を取り外すことによって、取り外されたセグメント１７の位置からシート裏地２２が視認できるようになるため、シート基材１５表面の色とシート裏地２２の色との違いによって、容易に連絡したい数情報を表示することができる。
【００４０】
なお、本実施形態に係るセグメント１７の着脱方法も特に限定されないが、例えば面ファスナーやスナップボタンなどによってシート裏地２２に各セグメント１７を取り付けておくことによって、各セグメント１７の紛失を防ぐことができるためより好ましい。
【００４１】
また、本実施形態の数情報表示シート１２ｂでは、シート基材１５の下方（裏側）にシート基材１５表面の色と異なる色のシート裏地２２を配設し、シート基材１５表面の色と、セグメント１７が取り外されて露出したシート裏地２２の色との違いによって数情報を表示したが、シート裏地２２は必ずしも配設されなくてもよい。つまり、数情報表示シート１２ｂが設置される設置面の色と、シート基材１５表面の色とに明確な差があれば、シート裏地２２を設けなくても数情報を認識することができる。
【００４２】
本考案に係る数情報表示シートの更にまた別の実施形態として、図５に示す数情報表示シート１２ｃのように、この数情報表示シート１２ｃに形成されたセグメントデジタル数字表示部１６の各セグメント１７が、何れかの長辺を残した状態で各セグメント１７の外周に沿って切断されていてもよい。表示したい数字に応じて任意のセグメント１７を切断されていない長辺で折り返すのみで、容易に連絡したい数情報を表示することができる。
【００４３】
なお、図５（ｂ）に示した数情報表示シート１２ｃでは、任意のセグメント１７をシート基材１５の裏側方向へ折り返すことによってセグメント１７の部分に貫通孔２４が形成され、シート基材１５表面の色と、貫通孔２４から見える数情報表示シート１２の設置面の色との違いによって数情報が認識されることとなる。従って、両者の色に殆ど差が無ければ、上空から数情報を認識することが困難となる。
【００４４】
そこで、図５に示した数情報表示シート１２ｃにおいて、数情報表示シート１２ｃに係るシート基材１５の下方（裏側）に、難燃性の不織布から成り、シート基材１５表面の色と異なる色のシート裏地（不図示、図４参照）を備えることによって、火災現場などにおいて使用できることはもちろん、任意のセグメント１７を切断されていない長辺で折り返すのみで、設置面の色にかかわらず、シート基材１５表面の色とシート裏地の色との違いによって連絡したい数情報を表示することができる。
【００４５】
以上、本考案の緊急連絡シートの実施形態について詳述したが、本考案の技術的思想を実質的に限定するものと解してはならない。本考案はその要旨を逸脱しない範囲で、当業者の創意と工夫により、適宜に改良、変更又は追加をしながら実施できる。
【符号の説明】
【００４６】
１０、１０ａ〜１０ｄ：緊急連絡シート
１１：文字情報表示シート
１２、１２ａ〜１２ｃ：数情報表示シート
１３、１５：シート基材
１４：連絡文字情報
１６：セグメントデジタル数字表示部
１７：セグメント
２０：セグメント部材
２２：シート裏地
２４：貫通孔
【図１】
0003233373.tif 000003
【図２】
0003233373.tif 000004
【図３】
0003233373.tif 000005
【図４】
0003233373.tif 000006
【図５】
0003233373.tif 000007